(57)【要約】      （修正有）【課題】簡単な構造で、通気性に優れ、装着による束縛感もなく作業者を脅かす蚊，ブヨ，蜂などから物理的に守り得る防虫ウエアを提供する。【解決手段】上面を備え、顔面外周を被覆する透視可能な筒状保護部１と、該筒状保護部１下部に連続して設けられた、胴部外周を被覆する所要長さの筒状保護部２からなり、両保護部１，２は亀甲状チュールネット地により作成され、前記顔面被覆筒状保護部１にはその上下周縁に保形用芯材が挿入されていると共に、上面中央部には頭髪部を露出する円形孔３が芯材により保形されて設けられており、胴部被覆筒状保護部２は胴部両側に着用時、腕部を通すための腕出し孔４が形成されていると共に、下端開口９には筒径調節可能に締結材１０が設けられている構成である。【選択図】図１
0003150328.tif 000002
【実用新案登録請求の範囲】
【請求項１】
上面を備え、顔面外周を被覆する筒状保護部と、該筒状保護部下部に連続して設けられた、胴部外周を被覆する所要長さの筒状保護部からなり、両保護部は亀甲状のチュールネットを素材として縫製され、前記顔面被覆筒状保護部にはその上下周縁に夫々、保形用芯材が挿入されていると共に、上面の中央部には頭髪部を露出する円形穴が設けられており、胴部被覆筒状保護部は両側に着用時、腕部を通すための腕出し孔が形成されていると共に、下部開口端は締結材により筒径調節可能に作成されていることを特徴とする防虫ウエア。
【請求項２】
胴部両側の腕出し孔に腕部を被覆する袖部を連設した請求項１記載の防虫ウエア。
【請求項３】
腕出し孔に連設された袖部が取り付け，取り外し自在である請求項２記載の防虫ウエア。
【請求項４】
腕部を被覆する袖部が亀甲状のチュールネットを素材として縫製されている請求項２または３記載の防虫ウエア。
【考案の詳細な説明】
【技術分野】
【０００１】
本考案は蚊やブヨ，蜂などに刺されるのを物理的に防ぐために着用する防虫ウエアに関するものである。
【背景技術】
【０００２】
従来より、農作業時に蜂などに刺されるのを防ぐため、防護服を着用することは通常行なわれているが、従来の防護服は蜂の針が届かない程度の厚さを有する線状体を間隔をおいて、かつ一部を交叉して形成したり（例えば特許文献１参照）、蜂の毒針が貫通できない厚みを有する立体メッシュ編地を縫製したもの（例えば特許文献２参照）が一般的であり、更に本出願人においても、さきに上下ハニカム編目層の間に連結糸層を有するダブルハニカム三層構造編地を裁断，縫製したもの（例えば特許文献３参照）を提案した。
【先行技術文献】
【特許文献】
【０００３】
【特許文献１】特階平５−８５２８３号公報
【特許文献２】特階２００２−３３９１２０号公報
【特許文献３】実用新案登録第３１２１４２６号公報
【考案の概要】
【考案が解決しようとする課題】
【０００４】
しかし、上記各防護服は何れも被服形状に仕上げたものであり、生地の厚みによって針が届かないように縫製することは手間を要し、コスト高となることは免れなかった。
【０００５】
本考案は上述の如き実状に鑑み、構造を簡単化し、着用時の利便性をはかることに着目して、作業中において、作業者を脅かす蚊またはブヨ，蜂などから物理的に守り得る防虫ウエアを提供することを目的とするものである
【課題を解決するための手段】
【０００６】
即ち、上記目的に適合する本考案防虫ウエアの特徴は、上面を備え、顔面外周を被覆する筒状保護部と、該筒状保護部下部に連続して設けられた、胴部外周を被覆する所要長さの筒状保護部からなり、両保護部は亀甲状のチュールネツトを素材として縫製され、前記顔面被覆筒状保護部にはその上下周縁に夫々、保形用芯材が挿入されていると共に、上面中央部には頭髪部を露出する円形孔が設けられており、胴部被覆筒状保護部には胴部両側に着用時、腕部を通す腕出し孔が形成されていると共に、下端開口が締結材により筒径調節可能に作成されている構成にある。
【０００７】
ここで、上記本考案防虫ウエアは胴部両側の腕出し孔はそのまま着用者の腕を出すようにしてもよいが、着用者の腕部を被覆せしめるための袖部を連設してもよく、また、この袖部は取り付け，取り外し可能としてもよい。なお、本考案防虫ウエアは筒状保護部，胴部保護部と同様、袖部もラッセル機により２枚のフルセットのガイドバーで編成された亀甲状のチュール組織ネットよりなる編生地を素材として縫製することが好適であり、通常は前記各チュールネット地とも白色生地によって作成されるが、必要に応じ一部に黒色部を作ることも可能である。しかし勿論、他のラッセル機により編成された同じく透視可能で柔軟，通気性に富むメッシュ経編地を使用することも可能である。
【考案の効果】
【０００８】
上記本考案防虫ウエアを頭部より被せ、胴部下端を調節し、必要に応じ上面より露出した頭髪部に帽子等を被着して使用することにより頭部及び胴部を保護し、農作業中等において作業者を脅かす蚊やブヨ，蜂などから身を守ることができると共に、顔面を被覆する筒状部は上下が芯材により保形されて顔面との間に空間が形成されるので顔にまとわりつくこともなく、しかも透視可能な素材であるので着用感が何ら阻害されることもない効果を有している。また、素材としてポリエステル等のチュールネットを使用することにより通気性に優れ、夏でも熱気がこもることなく快適に着用することができる。なお、胴部に袖部を連設した本考案防虫ウエアは腕部の動きに束縛されることなく腕部を防護できるので作業に支障を生じない利点もある。
【図面の簡単な説明】
【０００９】
【図１】本考案防虫ウエアの１例を示す概要図である。
【図２】本考案防虫ウエアの他の実施態様を示す概要図である。
【図３】上記防虫ウエアの着用状態を示す説明図である。。
【考案を実施するための形態】
【００１０】
以下、更に添付図面に基づいて本考案の具体的な態様を説明する。図１は本考案防虫ウエアの１形態を示し、図において１は顔面外周を被覆する筒状保護部、２は該筒状保護部１の下部に連続して設けられた胴部外周を被覆する筒状保護部であり、胴部被覆筒状保護部２は胴部を被覆し得る適度の長さで形成されていて、前記顔面外周を被覆する筒状保護部１の下部に上記胴部外周を被覆する筒状保護部２を連続して接続縫製することによって本考案防虫ウエアの一連の保護部からなる基本形態が作られている。
【００１１】
ここで、上記顔面外周を被覆する筒状保護部１及び胴部外周を被覆する筒状保護部２は通常、ラッセル機により２枚のフルセットのガイドバーで編み立てられる亀甲状のポリエステルチュールネット地を素材として縫製することによって形成され、特に顔面外周を被覆する筒状保護部１の上面は筒状形態を保つため使用するポリエステル糸の太さを変えたチュールネット地による２重生地が用いられる。しかし、勿論、上記チュールネツトに限らず、使用糸を変え、あるいは編組織を変えた他の透視可能な編地の使用も可能であるが、上記の亀甲状チュールネットは柔軟さ，透視性，通気性などの各面で使用上、最も好適である。
【００１２】
しかして、上記縫製により連続作成された本考案防虫ウエアにおいて、その顔面を被覆する筒状保護部１の上面中央部には頭髪部を露出する円形孔３が設けられる一方、胴部を被覆する筒状保護部２の両側面には着用時、腕部を通すための腕出し孔４が設けられていると共に、顔面を被覆する筒状保護部１の上下周縁５，６及び上記円形孔３の周縁７ならびに腕出し孔４の周縁８には夫々、形状維持のため保形用芯材が挿入されている。なお、胴部を被覆する円筒状保護部２の下端は開口されており、この開口部９には、筒径を着用者に合わせて調節可能なる如く、例えば調節具付きの締付紐の如き締結材１０が挿入されている。この下端の締結材１０は調節自在であれば弾性紐をもって代替することができる。
【００１３】
図２は上記図１に示す防虫ウエアが胴部被覆筒状保護部２の両側には腕を通す腕出し孔４だけが設けられているのに対し、腕部を被覆する袖部１１を連設した例であり、その構成は基本的に前記図１に記載したところと同様であると共に、袖部１１も前記各保護筒状部１，２と同様、例えばポリエステルチュールネット地による縫製によって形成され連設されている。
【００１４】
この袖部１１を有するウエアは、着用時、頭部より被ると共に、着用者の腕を袖部１１に通して腕部全体を被覆する。なお、袖部１１は固定的に取り付けられるのみでなく、随時、取り付け，取り外しが可能なようにして、夏冬あるいは使用時の状況に応じて取り付けて使用し、または取り外して使用するようにしてもよい。通常、蜂は原則として黒いものに寄り、白いものには近寄らない習性を有しているので、本考案防虫ウエアもこれに従って全部又は大半を白色とすることが好適である。
【００１５】
上記の如き構成からなる本考案防虫ウエアは、作業時、使用するにあたっては図３に示す如く頭部より被り、胴部の腕出し孔４に腕を通して着用すればよく、顔面の保護筒状体は透視可能で、視野が良好であるため、虫に刺されることなしに支障なく作業をすることができる。かくして本考案防虫ウエアは作業者を蚊，ブヨ，蜂などの虫から物理的に守る役割を達成すると共に、軽量で柔軟性に富み、通気性に優れ、装着に束縛感もなく、作業を快適に行なうことができる。
【符号の説明】
【００１６】
１：顔面被覆筒状保護部
２：胴部被覆筒状保護部
３：上面の円形孔
４：腕出し孔
５，６：顔面被覆筒状保護部の上下周縁
７：円形孔周縁
８：腕出し孔周縁
９：胴部被覆筒状保護部下端開口
１０：締結材
１１：袖部
【図１】
0003150328.tif 000003
【図２】
0003150328.tif 000004
【図３】
0003150328.tif 000005